【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
受光素子を含み、表示領域における外光の強度を検出する第１の光センサ部と、
受光素子を含み、当該受光素子への光路に赤外フィルタが配置された第２の光センサ部と、
上記第１の光センサ部の検出信号と上記第２の光センサ部の検出信号との差分処理を行う信号処理部と、を有し、
上記赤外フィルタは、
少なくとも２種類のカラーフィルタを積層して形成されている
表示装置。
【請求項２】
上記赤外フィルタは、
色の三原色である赤（Ｒ），緑（Ｇ），青（Ｂ）のカラーフィルタのうち、赤用カラーフィルタと青用カラーフィルタの２層、赤用カラーフィルタと緑用カラーフィルタの２層、赤用カラーフィルタと緑用カラーフィルタと青用カラーフィルタの３層のうちのいずれかの積層構造を有する
請求項１記載の表示装置。
【請求項３】
上記第１の光センサ部は、
遮光マスクに、上記受光素子に光を導く開口部が形成され、
上記第２の光センサ部は、
遮光マスクに、上記受光素子に光を導く開口部が形成され、当該開口部に上記赤外フィルタが形成されている
請求項１記載の表示装置。
【請求項４】
上記第１の光センサ部の開口部に、一つのカラーフィルタが形成されている
請求項３記載の表示装置。
【請求項５】
上記表示領域は表面輝度が変更可能であり、
上記信号処理部は、
上記差分処理結果に応じて上記表示領域の表面輝度を変化させる
請求項１記載の表示装置。
【請求項６】
表示光を上記表示領域に照射するバックライトを有し、
上記信号処理部は、
上記バックライトによる表示光のレベルを制御する
請求項５記載の表示装置。
【請求項７】
上記第１の光センサ部は、
物体からの反射光を検出可能であり、
上記信号処理部は、
上記第１の光センサ部の検出信号と上記第２の光センサ部の検出信号との差分処理結果により上記第１の光センサ部に物体があるか否かを示す信号を出力する
請求項１記載の表示装置。
【請求項８】
表示光を上記表示領域に照射するバックライトを有する
請求項７記載の表示装置。
【請求項９】
有効表示領域部に、
複数の表示セルがマトリクス状に配列され、
上記表示セルのマトリクス配列に混在して、上記第１の光センサ部および上記第２の光センサ部のうち少なくとも上記第１の光センサ部が配列されている
請求項１記載の表示装置。
【請求項１０】
複数の上記第１の光センサ部が、
各表示セルに隣接してそれぞれ配列されている
請求項９記載の表示装置。
【請求項１１】
上記有効表示領域部は、
上記バックライトに対向して配置され、セル回路および受光素子が形成される第１透明基板と、
上記第１透明基板と対向して配置される第２透明基板と、
上記第１透明基板および上記第２透明基板間に配置された液晶層と、
上記第１の光センサ部および第２の光センサ部に形成されて光を遮蔽するめの遮光マスクと、を有し、
上記第１の光センサ部および第２の光センサ部の遮光マスクには、光を受光素子に導くための開口部が形成され、
上記第２の光センサ部の開口部に上記赤外フィルタが形成されている
請求項９記載の表示装置。
【請求項１２】
上記第１の光センサ部の開口部に、一つのカラーフィルタが形成されている
請求項１１記載の表示装置。
【請求項１３】
表示装置を有する電子機器であって、
上記表示装置は、
受光素子を含み、表示領域における外光の強度を検出する第１の光センサ部と、
受光素子を含み、当該受光素子への光路に赤外フィルタが配置された第２の光センサ部と、
上記第１の光センサ部の検出信号と上記第２の光センサ部の検出信号との差分処理を行う信号処理部と、を有し、
上記赤外フィルタは、
少なくとも２種類のカラーフィルタを積層して形成されている
電子機器。
【手続補正２】
【補正対象書類名】明細書
【補正対象項目名】００３３
【補正方法】変更
【補正の内容】
【００３３】
図４の光検出部３においては、第１の光センサ部３１の調光側センサ（受光素子３１１）と第２の光センサ部３２の遮光側センサ（受光素子３２１）とが、電源電位ＶＤＤと基準電位ＶＳＳ（たとえば接地電位ＧＮＤ）との間に、直近で（近接させて）直列に接続されている。
そして、光検出部３は、第１の光センサ部３１の調光側センサ（受光素子３１１）の検出電流成分から第２の光センサ部３２の遮光側センサ（受光素子３２１）の検出電流成分である赤外成分を取り除いた信号を、コンパレータ３４を用いて参照電圧との比較結果して外光強度信号を得、検出信号Ｓ３として信号処理回路６に出力する。
光検出部３による検出信号Ｓ３は、調光側センサ３１１が検出した赤外域の検出成分が除去されている。
このように、光検出部３は、第１の光センサ部の検出信号と第２の光センサ部の検出信号との差分処理を行う信号処理部としての機能を有している。
【手続補正３】
【補正対象書類名】明細書
【補正対象項目名】００４１
【補正方法】変更
【補正の内容】
【００４１】
さらに、一般的な液晶表示装置においては、画素保持容量配線（Ｃｓ）９−１〜９−ｍが独立に配線され、この画素保持容量配線９−１〜９−ｍと接続電極との間に保持容量２１３が形成されている。
そして、各画素部の表示セル２１の液晶セル２１２の対向電極および／または保持容量２１３の他方の電極には、コモン配線（共通配線）を通してたとえば所定の直流電圧がコモン電圧ＶＣＯＭとして与えられる。
あるいは、各表示セル２１の液晶セル２１２の対向電極および保持容量２１３の他方の電極には、たとえば１水平走査期間（１Ｈ）毎に極性が反転するコモン電圧ＶＣＯＭが与えられる。
【手続補正４】
【補正対象書類名】明細書
【補正対象項目名】００４６
【補正方法】変更
【補正の内容】
【００４６】
ＴＦＴ基板２２（透明絶縁基板、たとえばガラス基板）上にゲート絶縁膜３３１で覆われたゲート電極３３２が形成されている。ゲート電極は、たとえばモリブデン（Ｍｏ）、タンタル（Ｔａ）などの金属または合金をスパッタリングなどの方法で成膜して形成される。
ゲート絶縁膜３３１上に半導体膜（チャネル形成領域）３３３、並びに半導体膜３３３を挟んで一対のｎ―拡散層（ＬＤＤ領域）３３４，３３５、ｎ＋拡散層３３６，３３７(ソース、ドレイン領域)が形成されている。さらに、ゲート絶縁膜３３１、半導体層（チャネル形成領域）３３３、ｎ―拡散層（ＬＤＤ領域）３３４，３３５、ｎ＋拡散層３３６，３３７(ソース、ドレイン領域)を覆うように層間絶縁膜３３８が形成され、層間絶縁膜３３８を覆うように層間絶縁膜３３９が形成されている。層間絶縁膜３３９は、たとえばＳｉＮ、ＳｉＯ２等により形成される。
一方のｎ＋拡散層３３６には、層間絶縁膜３３８，３３９に形成されたコンタクトホール３４０ａを介してソース電極３４１が接続され、他方のｎ＋拡散層３３７には、層間絶縁膜３３８，３３９に形成されたコンタクトホール３４０ｂを介してドレイン電極３４２が接続される。
ソース電極３４１およびドレイン電極３４２は、たとえばアルミニウム（Ａｌ）をパターニングしたものである。
層間絶縁膜３３８、ソース電極３４１、ドレイン電極３４２、層間絶縁膜３３９上に平坦化膜３４３が形成されている。
そして、たとえば表示領域部の有効表示領域あるいは、非表示領域に配置される場合には、この平坦化膜３４３上に液晶層２４が形成される。
【手続補正５】
【補正対象書類名】明細書
【補正対象項目名】００５０
【補正方法】変更
【補正の内容】
【００５０】
図７の赤外フィルタＦＬＴ３２１−１は、ブラックマスクＢＭＳＫの開口部ＢＭＳＫ３２１にＲ色フィルタＦＬＴ−ＲとＢ色フィルタＦＬＴ−Ｂの２色のカラーフィルタを積層して形成されている。
この赤外フィルタＦＬＴ３２１−１は、図８に示すように、赤外域に対して良好な透過特性を有している。
また、図７の例では、第１の光センサ部３１におけるブラックマスクＢＭＳＫの開口部ＢＭＳＫ３１１に可視光を良好に受光素子（フォトセンサ）３１１に導くように、１層のＧ色フィルタＦＬＴ−Ｇが形成されている。この第１の光センサ部３１のＧ色フィルタＦＬＴ−Ｇはなくても良い。
【手続補正６】
【補正対象書類名】明細書
【補正対象項目名】００５２
【補正方法】変更
【補正の内容】
【００５２】
まず、図９（Ａ）に示すように、ガラス基板（対向基板）２３のブラック（黒）光感光レジスト４０１を塗布する。
次に、図９（Ｂ）に示すように、ブラック光感光レジスト４０１上にフォトマスク４０２を形成し、ブラック光感光レジスト４０１を選択的に露光する。
そして、図９（Ｃ）に示すように、ブラックのパターンを現像する。
次に、図９（Ｄ）に示すように、グリーン（Ｇ）光感光レジスト４０３を塗布する。
図９（Ｅ）に示すように、グリーン光感光レジスト４０３上にフォトマスク４０４を形成し、グリーン光感光レジスト４０３を選択的に露光する。
そして、図９（Ｆ）に示すように、グリーンのパターンを現像する。
次に、図９（Ｇ）に示すように、レッド（Ｒ）光感光レジスト４０５を塗布する。
図９（Ｈ）に示すように、レッド光感光レジスト４０５上にフォトマスク４０６を形成し、レッド光感光レジスト４０５を選択的に露光する。
そして、図９（Ｉ）に示すように、レッドのパターンを現像する。
次に、図９（Ｊ）に示すように、ブルー（Ｂ）光感光レジスト４０７を塗布する。
図９（Ｋ）に示すように、ブルー光感光レジスト４０７上にフォトマスク４０８を形成し、ブルー光感光レジスト４０７を選択的に露光する。
そして、図１２（Ｌ）に示すように、ブルーのパターンを現像する。
以上の製造プロセスを経て第２の光センサ部３２の赤外フィルタＦＬＴ３２１−１、および第１の光センサ部３１のＧ色フィルタＦＬＴ−Ｇが形成される。
【手続補正７】
【補正対象書類名】明細書
【補正対象項目名】００５４
【補正方法】変更
【補正の内容】
【００５４】
図１０の赤外フィルタＦＬＴ３２１−２は、ブラックマスクＢＭＳＫの開口部ＢＭＳＫ３２１にＧ色フィルタＦＬＴ−ＧとＲ色フィルタＦＬＴ−ＲとＢ色フィルタＦＬＴ−Ｂの３色のカラーフィルタを積層して形成されている。
この赤外フィルタＦＬＴ３２１−２は、図１１に示すように、赤外域に対して良好な透過特性を有している。
また、図１０の例では、図７の例と同様に、第１の光センサ部３１におけるブラックマスクＢＭＳＫの開口部ＢＭＳＫ３１１に可視光を良好に受光素子（フォトセンサ）３１１に導くように、１層のＧ色フィルタＦＬＴ−Ｇが形成されている。この第１の光センサ部３１のＧ色フィルタＦＬＴ−Ｇはなくても良い。
【手続補正８】
【補正対象書類名】明細書
【補正対象項目名】００５６
【補正方法】変更
【補正の内容】
【００５６】
まず、図１２（Ａ）に示すように、ガラス基板（対向基板）２３のブラック（黒）光感光レジスト４１１を塗布する。
次に、図１２（Ｂ）に示すように、ブラック光感光レジスト４１１上にフォトマスク４１２を形成し、ブラック光感光レジスト４１１を選択的に露光する。
そして、図１２（Ｃ）に示すように、ブラックのパターンを現像する。
次に、図１２（Ｄ）に示すように、グリーン（Ｇ）光感光レジスト４１３を塗布する。
図１２（Ｅ）に示すように、グリーン光感光レジスト４１３上にフォトマスク４１４を形成し、グリーン光感光レジスト４１３を選択的に露光する。
そして、図１２（Ｆ）に示すように、グリーンのパターンを現像する。
次に、図１２（Ｇ）に示すように、レッド（Ｒ）光感光レジスト４１５を塗布する。
図１２（Ｈ）に示すように、レッド光感光レジスト４１５上にフォトマスク４１６を形成し、レッド光感光レジスト４１５を選択的に露光する。
そして、図１２（Ｉ）に示すように、レッドのパターンを現像する。
次に、図１２（Ｊ）に示すように、ブルー（Ｂ）光感光レジスト４１７を塗布する。
図１２（Ｋ）に示すように、ブルー光感光レジスト４１７上にフォトマスク４１８を形成し、ブルー光感光レジスト４１７を選択的に露光する。
そして、図１２（Ｌ）に示すように、ブルーのパターンを現像する。
以上の製造プロセスを経て第２の光センサ部３２の赤外フィルタＦＬＴ３２１−２、および第１の光センサ部３１のＧ色フィルタＦＬＴ−Ｇが形成される。
【手続補正９】
【補正対象書類名】明細書
【補正対象項目名】００５８
【補正方法】変更
【補正の内容】
【００５８】
図１３の赤外フィルタＦＬＴ３２１−３は、図７の第１の構成例と同様に、ブラックマスクＢＭＳＫの開口部ＢＭＳＫ３２１にＲ色フィルタＦＬＴ−ＲとＢ色フィルタＦＬＴ−Ｂの２色のカラーフィルタを積層して形成されている。
この赤外フィルタＦＬＴ３２１−３は、図１４に示すように、赤外域に対して良好な透過特性を有している。
また、図１３の例では、図７の例と異なり、第１の光センサ部３１におけるブラックマスクＢＭＳＫの開口部ＢＭＳＫ３１１にＧ色フィルタＦＬＴ−Ｇが形成されていない。
【手続補正１０】
【補正対象書類名】明細書
【補正対象項目名】００６０
【補正方法】変更
【補正の内容】
【００６０】
まず、図１５（Ａ）に示すように、ガラス基板（対向基板）２３のブラック（黒）光感光レジスト４２１を塗布する。
次に、図１５（Ｂ）に示すように、ブラック光感光レジスト４２１上にフォトマスク４２２を形成し、ブラック光感光レジスト４２１を選択的に露光する。
そして、図１５（Ｃ）に示すように、ブラックのパターンを現像する。
次に、図１５（Ｄ）に示すように、グリーン（Ｇ）光感光レジスト４２３を塗布する。
図１５（Ｅ）に示すように、グリーン光感光レジスト４２３上にフォトマスク４２４を形成し、グリーン光感光レジスト４２３を選択的に露光する。
そして、図１５（Ｆ）に示すように、グリーンのパターンを現像する。
次に、図１５（Ｇ）に示すように、レッド（Ｒ）光感光レジスト４２５を塗布する。
図１５（Ｈ）に示すように、レッド光感光レジスト４２５上にフォトマスク４２６を形成し、レッド光感光レジスト４２５を選択的に露光する。
そして、図１５（Ｉ）に示すように、レッドのパターンを現像する。
次に、図１５（Ｊ）に示すように、ブルー（Ｂ）光感光レジスト４２７を塗布する。
図１５（Ｋ）に示すように、ブルー光感光レジスト４２７上にフォトマスク４２８を形成し、ブルー光感光レジスト４２７を選択的に露光する。
そして、図１５（Ｌ）に示すように、ブルーのパターンを現像する。
以上の製造プロセスを経て第２の光センサ部３２の赤外フィルタＦＬＴ３２１−３、および第１の光センサ部３１の開口部ＢＭＳＫ３１１が形成される。
【手続補正１１】
【補正対象書類名】明細書
【補正対象項目名】００６２
【補正方法】変更
【補正の内容】
【００６２】
図１６の赤外フィルタＦＬＴ３２１−４は、図１０の第２の構成例と同様に、ブラックマスクＢＭＳＫの開口部ＢＭＳＫ３２１にＧ色フィルタＦＬＴ−ＧとＲ色フィルタＦＬＴ−ＲとＢ色フィルタＦＬＴ−Ｂの３色のカラーフィルタを積層して形成されている。
この赤外フィルタＦＬＴ３２１−４は、図１７に示すように、赤外域に対して良好な透過特性を有している。
また、図１６の例では、図１０の例と異なり、第１の光センサ部３１におけるブラックマスクＢＭＳＫの開口部ＢＭＳＫ３１１にＧ色フィルタＦＬＴ−Ｇが形成されていない。
【手続補正１２】
【補正対象書類名】明細書
【補正対象項目名】００６４
【補正方法】変更
【補正の内容】
【００６４】
まず、図１８（Ａ）に示すように、ガラス基板（対向基板）２３のブラック（黒）光感光レジスト４３１を塗布する。
次に、図１８（Ｂ）に示すように、ブラック光感光レジスト４３１上にフォトマスク４３２を形成し、ブラック光感光レジスト４３１を選択的に露光する。
そして、図１８（Ｃ）に示すように、ブラックのパターンを現像する。
次に、図１８（Ｄ）に示すように、グリーン（Ｇ）光感光レジスト４３３を塗布する。
図１８（Ｅ）に示すように、グリーン光感光レジスト４３３上にフォトマスク４３４を形成し、グリーン光感光レジスト４３３を選択的に露光する。
そして、図１８（Ｆ）に示すように、グリーンのパターンを現像する。
次に、図１８（Ｇ）に示すように、レッド（Ｒ）光感光レジスト４３５を塗布する。
図１８（Ｈ）に示すように、レッド光感光レジスト４３５上にフォトマスク４３６を形成し、レッド光感光レジスト４３５を選択的に露光する。
そして、図１８（Ｉ）に示すように、レッドのパターンを現像する。
次に、図１８（Ｊ）に示すように、ブルー（Ｂ）光感光レジスト４３７を塗布する。
図１８（Ｋ）に示すように、ブルー光感光レジスト４３７上にフォトマスク４３８を形成し、ブルー光感光レジスト４３７を選択的に露光する。
そして、図１８（Ｌ）に示すように、ブルーのパターンを現像する。
以上の製造プロセスを経て第２の光センサ部３２の赤外フィルタＦＬＴ３２１−４、および第１の光センサ部３１の開口部ＢＭＳＫ３１１が形成される。
【手続補正１３】
【補正対象書類名】明細書
【補正対象項目名】００６９
【補正方法】変更
【補正の内容】
【００６９】
以上の構成を有する光検出部３においては、第１の光センサ部３１の調光側センサ（受光素子３１１）と第２の光センサ部３２の遮光側センサ（受光素子３２１）とが、電源電位ＶＤＤと基準電位ＶＳＳ（たとえば接地電位ＧＮＤ）との間に、直近で（近接させて）直列に接続されている。
光検出部３においては、有効表示領域部２に照射される外光が第１の光センサ部３１の調光側センサ（受光素子３１１）で直接、または１層のたとえばＧ色フィルタＦＬＴ−Ｇを介して受光される。また、第２の光センサ部３２の遮光側センサ（受光素子３２１）においては、赤外フィルタＦＬＴ３２１を通過した赤外域の光が受光される。
そして、光検出部３は、第１の光センサ部３１の調光側センサ（受光素子３１１）の検出電流成分から第２の光センサ部３２の遮光側センサ（受光素子３２１）の検出電流成分である赤外成分が取り除かれた信号が、コンパレータ３４を用いて参照電圧と比較される。その比較結果、外光強度信号として得られ、検出信号Ｓ３として信号処理回路６に出力される。
光検出部３による検出信号Ｓ３は、調光側センサ（受光素子３１１）が検出した赤外域の検出成分が除去されている。
そして、信号処理回路６は、光検出部３の検出信号Ｓ３の出力レベルに応じて、制御信号ＣＴＬにより、有効表示領域部（画面表示部）２の表面輝度を変化させる。
【手続補正１４】
【補正対象書類名】明細書
【補正対象項目名】００７０
【補正方法】変更
【補正の内容】
【００７０】
以上説明したように、本第１の実施形態によれば、光検出部３は、受光素子３１１を含み表示領域における外光の強度を検出する第１の光センサ部３１と、受光素子３２１への光路に赤外フィルタＦＬＴ３２１が配置された第２の光センサ部３２と、を有し、第１の光センサ部３１の出力から第２の光センサ部３２の検出した少なくとも赤外成分に相当する成分を取り除く機能を有し、赤外フィルタＦＬＴ３２１は、少なくとも２種類のカラーフィルタを積層して形成されていることから、以下の効果を得ることができる。
【手続補正１５】
【補正対象書類名】明細書
【補正対象項目名】００８０
【補正方法】変更
【補正の内容】
【００８０】
図２３の光検出部３Ａにおいては、第１の実施形態の場合と同様に、第１の光センサ部３１の調光側センサ（受光素子３１１）と第２の光センサ部３２の遮光側センサ（受光素子３２１）とが、電源電位ＶＤＤと基準電位ＶＳＳ（たとえば接地電位ＧＮＤ）との間に、直近で（近接させて）直列に接続されている。
そして、光検出部３Ａは、第１の光センサ部３１の調光側センサ（受光素子３１１）の検出電流成分から第２の光センサ部３２の遮光側センサ（受光素子３２１）の検出電流成分である赤外成分を取り除いた信号を、コンパレータ３４を用いて参照電圧との比較結果して外光強度信号を得、検出信号Ｓ３として信号処理回路６Ａに出力する。
光検出部３Ａによる検出信号Ｓ３Ａは、調光側センサ（受光素子３１１）が検出した赤外域の検出成分が除去されている。
【手続補正１６】
【補正対象書類名】明細書
【補正対象項目名】００８２
【補正方法】変更
【補正の内容】
【００８２】
有効表示領域部２Ａの説明に戻る。
光検出部３Ａの配置領域には遮光機能を有するブラックマスク（遮光マスク）ＢＭＳＫ３が形成されている。
第１の光センサ部３１に含まれるブラックマスクＢＭＳＫ３には、受光素子３１１に光を入射させるための開口部ＢＭＳＫ３１１が形成されている。あるいは、この開口部ＢＭＳＫ３１１には、たとえば１種類のカラーフィルタ、たとえばＧ色カラーフィルタＦＬＴ−Ｇが形成される。
同様に、第２の光センサ部３２に含まれるブラックマスクＢＭＳＫ３には、受光素子３２１に光を入射させるための開口部ＢＭＳＫ３２１が形成され、この開口部ＢＭＳＫ３２１にカラーフィルタの多層構造からなる赤外フィルタＦＬＴ３２１が形成されている。
この赤外フィルタＦＬＴ３２１の構造等については前述した通りである。
【手続補正１７】
【補正対象書類名】明細書
【補正対象項目名】００８５
【補正方法】変更
【補正の内容】
【００８５】
また、有効表示領域部２Ａにおいては、光検出部３Ａに対応して受光信号線１１が配線されている。
受光信号線１１は、信号処理回路６Ａに接続され、受光制御回路１０の制御の下に読み出される検出信号Ｓ３Ａを信号処理回路６Ａに伝搬する。
また、光検出部３Ａに対して、第１の制御線（リセット信号線）１２、および第２の制御線（読み出し信号線）１３がその画素配列方向に沿って配線されている。
また、第１の制御線１２および第２の制御線１３は、受光制御回路１０により駆動制御される。
【手続補正１８】
【補正対象書類名】明細書
【補正対象項目名】００８８
【補正方法】変更
【補正の内容】
【００８８】
受光素子３１１と受光素子３２１は電源電位ＶＤＤと基準電位ＶＳＳ間に直列に接続されている。具体的には、受光素子３１１のカソード側が電源電位ＶＤＤに接続され、アノード側が受光素子３２１のカソード側に接続され、受光素子３２１のアノード側が基準電位ＶＳＳに接続されている。そして、受光素子３１１のアノード側と受光素子３２１のカソード側の接続点がリセットＴＦＴ３５１のドレインに接続されている。
リセットＴＦＴ３５１は、たとえばｎチャネルトランジスタにより形成され、そのソースが基準電位ＶＳＳ（たとえばグランドＧＮＤ）に接続され、ドレインがノードＮＤ３５１に接続されている。そして、リセットＴＦＴ３５１のゲート電極が対応する行に配線された第１の制御線１２に接続されている。
増幅ＴＦＴ３５２のゲートがノードＮＤ３５１に接続され、ドレインが電源電位ＶＤＤに接続され、ソースが選択ＴＦＴ３５３のドレインに接続されている。選択ＴＦＴ３５３のゲートが第２の制御線１３に接続され、ソースが対応する列に配線された受光信号線１１に接続されている。
この増幅ＴＦＴ３５２と選択ＴＦＴ３５３により、いわゆるソースフォロワが形成されている。したがって、受光信号線１１には電流源が接続される。この電流源は、本実施形態においては、たとえば信号処理回路６Ａに形成される。
また、キャパシタ（受光信号蓄積容量）３５４がノードＮＤ３５１と基準電位ＶＳＳとの間に接続されている。
【手続補正１９】
【補正対象書類名】明細書
【補正対象項目名】００９４
【補正方法】変更
【補正の内容】
【００９４】
第１の制御線１２と第２の制御配線１３は受光制御回路１０に接続されている。
受光制御回路１０は、所定のタイミングでリセットパルスＲＳＴを第１の制御線１２に印加する。
これにより、光検出部３Ａのリセット用ＴＦＴ３５１が一定期間オンし、ノードＮＤ３５１がリセットされる。
換言すれば、光検出部３Ａにおいては、たとえばノードＮＤ３５１に接続された受光信号蓄積容量３５４の電荷が放電されて、ノードＮＤ３５１の電位が基準電位にセットされ、光検出部３Ａが初期の状態となる。
この状態で受光素子３１１，３２１が所定の光量を受光すると、受光素子３１１，３２１が導通し、第１の光センサ部３１の調光側センサ（受光素子３１１）の検出電流成分から第２の光センサ部３２の遮光側センサ（受光素子３２１）の検出電流成分である赤外成分を取り除いた信号によりノードＮＤ３５１の電位が上昇し、キャパシタ（受光信号蓄積容量）３５４に電荷が蓄積される。
このとき、受光制御回路１０により読み出し信号ＲＤがハイレベルで第２に制御線１３に印加されて選択ＴＦＴ３５３がオン状態に保持される。これにより、キャパシタ３５４に蓄積された電荷が電気信号として増幅ＴＦＴ３５２で増幅され、選択ＴＦＴ３５３を介して受光信号として受光信号線１１に出力される。
【手続補正２０】
【補正対象書類名】明細書
【補正対象項目名】００９５
【補正方法】変更
【補正の内容】
【００９５】
そして、受光信号線１１を伝搬された検出信号Ｓ３Ａは信号処理回路６Ａに入力され、信号処理回路６Ａは、検出信号Ｓ３Ａのレベルに応じてたとえば制御信号ＣＴＬにより、有効表示領域部（画面表示部）２Ａの表面輝度を変化させる。
【手続補正２１】
【補正対象書類名】明細書
【補正対象項目名】００９７
【補正方法】変更
【補正の内容】
【００９７】
なお、第１及び第２の実施形態においては、第１の光センサ部３１の調光側センサ（受光素子３１１）と第２の光センサ部３２の遮光側センサ（受光素子３２１）とを近接させて光検出部内で赤外成分を取り除く差分処理を行うようにした。
本発明はこれに限定されるものではなく、たとえば、図２７に示すように、調光側センサ（受光素子３１１）の検出信号と遮光側センサ（受光素子３２１）の検出信号を個別に読み出し、有効表示領域部２Ｂ外に配置した信号処理回路６にて赤外成分を取り除くように構成することも可能である。
この場合、図２７に示すように、第１の光センサ部３１において、調光側センサ（受光素子）３１１のカソード側が電源電位ＶＤＤに接続され、アノード側がノードＮＤ３５１に接続されている。
同様に、第２の光センサ部３２において、遮光側センサ（受光素子）３２１のカソード側が電源電位ＶＤＤに接続され、アノード側がノードＮＤ３５１に接続されている。
その他の構成および機能は、基本的に前述した第２の実施形態と同様であることから、その詳細な説明は省略する。
【手続補正２２】
【補正対象書類名】明細書
【補正対象項目名】００９９
【補正方法】変更
【補正の内容】
【００９９】
ここでは、第１の光センサ部３１の検出信号と第２の光センサ部３２の検出信号との差分信号処理により第１の光センサ部３１内の反射ノイズや遮光時の暗電流および近赤外領域の感度による漏れ電流、オフセットノイズの影響を極めて小さく抑えた信号が得られることについても併せて説明する。
なお、ここでは、図２８に示すように、バックライトの反射光の検出システムとして構成された場合を例に説明する。
【手続補正２３】
【補正対象書類名】明細書
【補正対象項目名】０１０６
【補正方法】変更
【補正の内容】
【０１０６】
以上説明したように、本実施形態によれば、表示回路２１０を有する複数の表示セル２１と、受光素子３２１を含み表示領域における外光の強度を検出する第１の光センサ部２２と、受光素子３２１への光路に赤外フィルタＦＬＴ３２１が配置された第２の光センサ部２３と、第１の光センサ部３１の検出信号から第２の光センサ部３２の検出した少なくとも赤外成分に相当する成分を取り除く機能と、を含み、赤外フィルタＦＬＴ３２１は、少なくとも２種類のカラーフィルタを積層して形成されていることから、以下の効果を得ることができる。
【手続補正２４】
【補正対象書類名】明細書
【補正対象項目名】０１１０
【補正方法】変更
【補正の内容】
【０１１０】
本実施形態に係る表示装置は、図３０に示すようにフラット型のモジュール形状のものを含む。
たとえば絶縁性の基板２２上に、液晶素子、薄膜トランジスタ、薄膜容量、受光素子等からなる画素をマトリックス状に集積形成した画素アレイ部を設ける、この画素アレイ部（画素マトリックス部）を囲むように接着剤を配し、ガラス等の対向基板２３を貼り付けて表示モジュールとする。
この透明な対向基板２３には必要に応じて、カラーフィルタ、保護膜、遮光膜等を設けてもよい。表示モジュールには、外部から画素アレイ部への信号等を入出力するためのコネクタＣＮＴとしてたとえばＦＰＣ（フレキシブルプリントサーキット）を設けてもよい。
【手続補正２５】
【補正対象書類名】明細書
【補正対象項目名】０１２１
【補正方法】変更
【補正の内容】
【０１２１】
受光ドライブ回路１３００は、Ｉ／Ｏディスプレイパネル２０００において受光データが得られるように（物体を撮像するように）、このＩ／Ｏディスプレイパネル２０００の駆動を行う（線順次動作の駆動を行う）回路である。なお、各画素での受光データは、たとえばフレーム単位でフレームメモリ１３００Ａに蓄積され、撮像画像として画像処理部１４００へ出力される。
【手続補正２６】
【補正対象書類名】明細書
【補正対象項目名】０１３０
【補正方法】変更
【補正の内容】
【０１３０】
一方、表示素子に隣接する受光素子側には、たとえばフォトダイオードなどからなる受光用のセンサ３１００ｃが配置され、電源電圧ＶＤＤが供給される。
また、この受光センサ３１００ｃには、リセットスイッチ３１００ｄとキャパシタ３１００ｅが接続され、リセットスイッチ３１００ｄによってリセットされながら、キャパシタ３１００ｅにおいて受光量に対応した電荷が蓄積される。
そして、蓄積された電荷は読み出しスイッチ３１００ｇがオンとなるタイミングで、バッファアンプ３１００ｆを介して信号出力用電極３１００ｊに供給され、外部へ出力される。また、リセットスイッチ３１００ｄのオン・オフ動作はリセット電極３１００ｋにより供給される信号により制御され、読み出しスイッチ３１００ｇのオン・オフ動作は、読出し制御電極３１００ｍにより供給される信号により制御される。
【手続補正２７】
【補正対象書類名】明細書
【補正対象項目名】０１３９
【補正方法】変更
【補正の内容】
【０１３９】
ここで、Ｉ／Ｏディスプレイパネル２０００に接触または近接する物体（たとえば、指先など）がある場合、受光ドライブ回路１３００による線順次受光駆動により、このＩ／Ｏディスプレイパネル２０００における各画素の受光素子においてその物体が撮像され、各受光素子からの受光信号が受光ドライブ回路１３００へ供給される。受光ドライブ回路１３００では、１フレーム分の画素の受光信号が蓄積され、撮像画像として画像処理部１４００へ出力される。
【手続補正２８】
【補正対象書類名】明細書
【補正対象項目名】０１４０
【補正方法】変更
【補正の内容】
【０１４０】
そして画像処理部１４００では、この撮像画像に基づいて、所定の画像処理（演算処理）を行い、Ｉ／Ｏディスプレイ２０００に接触または近接する物体に関する情報（位置座標データ、物体の形状や大きさに関するデータなど）が検出される。
【手続補正２９】
【補正対象書類名】明細書
【補正対象項目名】０１４１
【補正方法】変更
【補正の内容】
【０１４１】
【図１】光センサの素子特性を示す図である。
【図２】本発明の第１の実施形態に係る液晶表示装置の構成例を示すブロック図である。
【図３】図２の液晶表示装置における有効画素領域の構成例を示す図である。
【図４】本実施形態に係る光検出部の構成例を示す回路図である。
【図５】第１の光センサ部および第２の光センサ部のフォトセンサ（受光素子）をＴＦＴにより形成した構造例を示す断面図である。
【図６】Ｒ色フィルタ、Ｇ色フィルタ、およびＢ色フィルタの各カラーフィルタの可視領域と赤外領域の吸収スペクトルを示す図である。
【図７】赤外フィルタの第１の構成例を示す図である。
【図８】図７の赤外フィルタの分光特性を示す図である。
【図９】図７のフィルタの製造プロセスを示す図である。
【図１０】赤外フィルタの第２の構成例を示す図である。
【図１１】図１０の赤外フィルタの分光特性を示す図である。
【図１２】図１０のフィルタの製造プロセスを示す図である。
【図１３】赤外フィルタの第３の構成例を示す図である。
【図１４】図１３の赤外フィルタの分光特性を示す図である。
【図１５】図１３のフィルタの製造プロセスを示す図である。
【図１６】赤外フィルタの第４の構成例を示す図である。
【図１７】図１６の赤外フィルタの分光特性を示す図である。
【図１８】図１６のフィルタの製造プロセスを示す図である。
【図１９】第１〜第４の構成例の赤外フィルタを有する第２の光センサ部の赤外感度特性の一例を示す図である。
【図２０】第２の光センサ部のＧ色フィルタとＲ色フィルタの２色のカラーフィルタを積層した赤外フィルタと第１の光センサ部の第１の構成例を示す図である。
【図２１】第２の光センサ部のＧ色フィルタとＲ色フィルタの２色のカラーフィルタを積層した赤外フィルタと第１の光センサ部の第２の構成例を示す図である。
【図２２】本発明の第２の実施形態に係る液晶表示装置の構成例を示すブロック図である。
【図２３】図２２の液晶表示装置における有効表示領域部の構成例を示す図である。
【図２４】本第２の実施形態に係る第１の光センサ部（第２の光センサ部）の基本構成例を示す回路図である。
【図２５】本実施形態に係る第１の光センサ部の簡略断面図である。
【図２６】本実施形態に係る第２の光センサ部の簡略断面図である。
【図２７】本実施形態に係る第１の光センサ部と第２の光センサ部の配置の他の例を示す図である。
【図２８】バックライトの反射光の検出システムを模式的に示す図である。
【図２９】本実施形態に係る第１の光センサ部と第２の光センサ部の出力信号の差分信号処理によりノイズの除去できる理由を説明するための図である。
【図３０】フラット型のモジュール形状の例を示す模式図である。
【図３１】本実施形態が適用されるテレビを示す斜視図である。
【図３２】本実施形態が適用されるデジタルカメラを示す斜視図である。
【図３３】本実施形態が適用されるノート型パーソナルコンピュータを示す斜視図である。
【図３４】本実施形態が適用されるビデオカメラを示す斜視図である。
【図３５】本実施形態が適用される携帯端末装置、たとえば携帯電話機を示す図である。
【図３６】本発明の実施形態に係る表示撮像装置の構成を表すブロック図である。
【図３７】図３６に示したＩ／Ｏディスプレイパネルの構成例を表すブロック図である。
【図３８】各画素の構成例を表す回路図である。
【図３９】各画素とセンサ読み出し用Ｈドライバとの接続関係を説明するための回路図である。
【図４０】バックライトのオン・オフ状態と表示状態との関係について説明するためのタイミング図である。